(57)【要約】【課題】  通気性が良く、且つ接合手段の解除が従来より行いやすい使い捨て紙おむつの提供。【解決手段】  第１の方向に沿って延伸している吸収体（５）と、吸収体の第１の方向における両端部に、それぞれ固定された第１と第２の外装シート（１、２）とを備え、第１の外装シートの両端縁に、それぞれ第１と第２の接着手段（１１、１２）とが第１の方向に延伸するように配置されており、第２の外装シートの両端縁に、それぞれ第３と第４の接着手段（２１、２２）とが第１の方向に延伸するように配置されており、第１の外装シートにおける第１の接着手段が配置された端縁に、第１の接着手段を横断する第１の切り込み（１３）が形成されており、吸収体が第２の方向に沿って折り曲げられて第１の接着手段と第３の接着手段とが接着し合うと、第１の切り込みにより通気孔（３１）が形成される使い捨て紙おむつを提供する。【選択図】図１
2012232102.tif 000002
【特許請求の範囲】
【請求項１】
第１の方向に沿って延伸している吸収体と、
前記吸収体の前記第１の方向における両端部に、それぞれ前記第１の方向と直交する第２の方向に延伸するように固定された第１と第２の外装シートとを備え、
前記第１の外装シートの延伸方向における両端縁に、それぞれ第１と第２の接着手段とが前記第１の方向に延伸するように配置されており、
前記第２の外装シートの延伸方向における両端縁に、それぞれ第３と第４の接着手段とが前記第１の方向に延伸するように配置されており、
前記第１の接着手段と前記第３の接着手段は、前記吸収体が前記第２の方向に沿って折り曲げられると、互いに接着しあうことができるように構成されており、
前記第２の接着手段と前記第４の接着手段は、前記吸収体が前記第２の方向に沿って折り曲げられると、互いに接着しあうことができるように構成されており、
更に、前記第１の外装シートにおける前記第１の接着手段が配置された端縁に、前記第１の接着手段を横断する第１の切り込みが形成されており、前記吸収体が前記第２の方向に沿って対称的に折り曲げられて前記第１の接着手段と前記第３の接着手段とが接着し合うと、前記第１の切り込みにより通気孔が形成されることを特徴とする使い捨て紙おむつ。
【請求項２】
前記第１の外装シートは長方形であり、
前記第１の切り込みの前記第１の方向における最大の幅が、前記第１の外装シートの前記第１の方向における幅の２５％〜５０％の範囲内にあることを特徴とする請求項１に記載の使い捨て紙おむつ。
【請求項３】
前記第１の外装シートにおける前記第２の接着手段が配置された端縁に、前記第２の接着手段を横断する第２の切り込みが形成されており、前記吸収体が前記第２の方向に沿って対称的に折り曲げられて前記第２の接着手段と前記第４の接着手段とが接着し合うと、前記第２の切り込みにより接着部分の隣に通気孔が形成されることを特徴とする請求項１または請求項２に記載の使い捨て紙おむつ。
【請求項４】
前記第２の切り込みの前記第１の方向における最大の幅が、前記第１の外装シートの前記第１の方向における幅の２５％〜５０％の範囲内にあることを特徴とする請求項３に記載の使い捨て紙おむつ。
【請求項５】
前記第２の外装シートにおける前記第３の接着手段が配置された端縁に、前記第３の接着手段を横断する第３の切り込みが更に形成されており、該第３の切り込みは、前記吸収体が前記第２の方向に沿って対称的に折り曲げられて前記第１の接着手段と前記第３の接着手段とが接着し合うと、前記第１の切り込みと併せて同一の通気孔を画成するように構成されていることを特徴とする請求項３または請求項４に記載の使い捨て紙おむつ。
【請求項６】
前記第２の外装シートにおける前記第３の接着手段が配置された端縁に、前記第３の接着手段を横断する第３の切り込みが更に形成されており、該第３の切り込みは、前記吸収体が前記第２の方向に沿って対称的に折り曲げられて前記第１の接着手段と前記第３の接着手段とが接着し合うと、前記第１の切り込みが形成する前記通気孔から独立する通気孔が他に形成されるように配置構成されていることを特徴とする請求項３または請求項４に記載の使い捨て紙おむつ。
【請求項７】
前記第２の外装シートは長方形であり、
前記第３の切り込みの前記第１の方向における最大の幅が、前記第２の外装シートの前記第１の方向における幅の２５％〜５０％の範囲内にあることを特徴とする請求項５または請求項６に記載の使い捨て紙おむつ。
【請求項８】
前記第１の外装シートの前記第２の外装シートから離れた端縁部と、前記第２の外装シートの前記第１の外装シート１から離れた端縁部とに、それぞれ第１の弾性収縮部材が前記第２の方向に沿って断続的に貼り合わされており、
前記吸収体には前記第１の方向に沿って延伸している吸収材料が組み込まれており、前記第１の外装シートの前記吸収体と重なっている部分に、前記吸収材料により隔てられた第２と第３の弾性収縮部材が前記第２の方向に延伸するように断続的に貼り合わされていることを特徴とする請求項１〜請求項７のいずれか一項に記載の使い捨て紙おむつ。
【請求項９】
前記第１の外装シートの前記第２の外装シートから離れた端縁部と、前記第２の外装シートの前記第１の外装シート１から離れた端縁部とに、それぞれ第１の弾性収縮部材が前記第２の方向に沿って断続的に貼り合わされており、
前記吸収体には前記第１の方向に沿って延伸している吸収材料が組み込まれており、前記第１の外装シートの前記吸収体と重なっている部分に、前記第２の方向に延伸する第４の弾性収縮部材が前記吸収材料を横断するように断続的に貼り合わされていることを特徴とする請求項１〜請求項７のいずれか一項に記載の使い捨て紙おむつ。
【発明の詳細な説明】
【技術分野】
【０００１】
本発明は使い捨て紙おむつに関し、特に、通気性が優れた使い捨て紙おむつに関する。
【背景技術】
【０００２】
従来の使い捨て紙おむつは、例えば特許文献１に記載されているものがある。該等従来の使い捨て紙おむつは、図７に示されるように、二枚の透液性シートの間に吸収体が介在された吸収性本体１０と、該吸収性本体と一体的に接合された２枚の外装シート２０とからなり、該吸収性本体が装着者の股間に下方から添えられると共に、２枚の外装シート２０がそれぞれ左右一対の接合手段４０で連結し合うことにより、装着者の胴回りを締めて吸収性本体を上から吊り下げて支持するように紙おむつを装着することができる。
【０００３】
このような従来のパンツ形使い捨て紙おむつは、液漏れを防止する機能を確保するため、吸収性本体１０及び外装シート２０は空気も通過しにくい構造になっており、更に、使用者の体形にフィットして締める弾性材料の通気性が特に悪いので、快適な装着感を提供できるとは言えない。また、２枚の外装シート２０がそれぞれ有する左右一対の接合手段４０は、通常外装シート２０の端縁に沿って熱接着されているので、装着しているこの従来の使い捨て紙おむつを取り外すには、外装シート２０の端縁全長に等しい長さの結合を剥がさなければならず、不便である。
【先行技術文献】
【特許文献】
【０００４】
【特許文献１】特開２０１０−１８４１３５号明細書
【発明の概要】
【発明が解決しようとする課題】
【０００５】
上記問題点に鑑みて、本発明は通気性が良く、且つ接合手段の解除が従来より行いやすい使い捨て紙おむつの提供を目的とする。
【課題を解決するための手段】
【０００６】
上記目的を達成すべく、本発明は、第１の方向に沿って延伸している吸収体と、前記吸収体の前記第１の方向における両端部に、それぞれ前記第１の方向と直交する第２の方向に延伸するように固定された第１と第２の外装シートとを備え、前記第１の外装シートの延伸方向における両端縁に、それぞれ第１と第２の接着手段とが前記第１の方向において延伸するように配置されており、前記第２の外装シートの延伸方向における両端縁に、それぞれ第３と第４の接着手段とが前記第１の方向において延伸するように配置されており、前記第１の接着手段と前記第３の接着手段は、前記吸収体が前記第２の方向に沿って折り曲げられると、互いに接着しあうことができるように構成されており、前記第２の接着手段と前記第４の接着手段は、前記吸収体が前記第２の方向に沿って折り曲げられると、互いに接着しあうことができるように構成されており、更に、前記第１の外装シートにおける前記第１の接着手段が配置された端縁に、前記第１の接着手段を横断する第１の切り込みが形成されており、前記吸収体が前記第２の方向に沿って折り曲げられて前記第１の接着手段と前記第３の接着手段とが接着し合うと、前記第１の切り込みにより通気孔が形成されることを特徴とする使い捨て紙おむつを提供する。
【０００７】
また、上記本発明の使い捨て紙おむつにおいて、前記第１の外装シートは長方形であり、前記第１の切り込みの前記第１の方向における最大の幅が、前記第１の外装シートの前記第１の方向における幅の２５％〜５０％の範囲内にあるように構成することができる。
【０００８】
また、上記本発明の使い捨て紙おむつのほかの実施形態として、例えば、前記第１の外装シートにおける前記第２の接着手段が配置された端縁に、前記第２の接着手段を横断する第２の切り込みが形成されており、前記吸収体が前記第２の方向に沿って対称的に折り曲げられて前記第２の接着手段と前記第４の接着手段とが接着し合うと、前記第２の切り込みにより接着部分の隣に通気孔が形成されるように構成することができる。
【０００９】
また、前記第２の切り込みの前記第１の方向における最大の幅が、前記第１の外装シートの前記第１の方向における幅の２５％〜５０％の範囲内にあるように構成することができる。
【００１０】
また、上記本発明の使い捨て紙おむつのほかの実施形態として、例えば、前記第２の外装シートにおける前記第３の接着手段が配置された端縁に、前記第３の接着手段を横断する第３の切り込みが更に形成されており、該第３の切り込みは、前記吸収体が前記第２の方向に沿って対称的に折り曲げられて前記第１の接着手段と前記第３の接着手段とが接着し合うと、前記第１の切り込みと併せて同一の通気孔を画成するように構成することができる。
【００１１】
また、上記本発明の使い捨て紙おむつのほかの実施形態として、例えば、前記第２の外装シートにおける前記第３の接着手段が配置された端縁に、前記第３の接着手段を横断する第３の切り込みが更に形成されており、該第３の切り込みは、前記吸収体が前記第２の方向に沿って対称的に折り曲げられて前記第１の接着手段と前記第３の接着手段とが接着し合うと、前記第１の切り込みが形成する前記通気孔から独立する通気孔が他に形成されるように構成することができる。
【００１２】
また、前記第２の外装シートは長方形であり、前記第３の切り込みの前記第１の方向における最大の幅が、前記第２の外装シートの前記第１の方向における幅の２５％〜５０％の範囲内にあるように構成することができる。
【００１３】
また、上記本発明の使い捨て紙おむつにおいて、前記第１の外装シートの前記第２の外装シートから離れた端縁部と、前記第２の外装シートの前記第１の外装シート１から離れた端縁部とに、それぞれ第１の弾性収縮部材が前記第２の方向に沿って断続的に貼り合わされており、前記吸収体には前記第１の方向に沿って延伸している吸収材料が組み込まれており、前記第１の外装シートの前記吸収体と重なっている部分に、前記吸収材料により隔てられた第２と第３の弾性収縮部材が前記第２の方向に延伸するように組み込まれるように構成されることができる。
【００１４】
また、上記本発明の使い捨て紙おむつのほかの実施形態として、例えば、前記第１の外装シートの前記第２の外装シートから離れた端縁部と、前記第２の外装シートの前記第１の外装シート１から離れた端縁部とに、それぞれ第１の弾性収縮部材が前記第２の方向に沿って断続的に貼り合わされており、前記吸収体には前記第１の方向に沿って延伸している吸収材料が組み込まれており、前記第１の外装シートの前記吸収体と重なっている部分に、前記第２の方向に延伸する第４の弾性収縮部材が前記吸収材料を横断するように組み込まれるように構成されることもできる。
【発明の効果】
【００１５】
上記構成により、本発明の使い捨て紙おむつは、前記第１の接着手段と前記第３の接着手段とが接着し合うと、前記第１の切り込みにより接着部分の隣に通気孔が形成されるので、従来のパンツ形使い捨て紙おむつより優れた通気性を持つことができる。また、通気孔を構成する前記第１の切り込みは前記第１の接着手段を横断するように形成されるので、前記第１の接着手段を分断できると共に、その全長を短くすることができるので、従来の使い捨て紙おむつが有する接着手段よりはがしやすくする。
【００１６】
また、上記のように、本発明の使い捨て紙おむつにおける通気孔を構成する切り込みは、接着手段が配置される両端縁にそれぞれ形成することができ、さらに同一の両端縁に複数の切り込みを形成することも可能である。
【図面の簡単な説明】
【００１７】
【図１】本発明の使い捨て紙おむつの第１の実施形態の展開状態が示される外観図である。
【図２】本発明の使い捨て紙おむつの第１の実施形態の装着状態が示される外観図である。
【図３】本発明の使い捨て紙おむつの第２の実施形態の展開状態が示される外観図である。
【図４】本発明の使い捨て紙おむつの第３の実施形態の展開状態が示される外観図である。
【図５】本発明の使い捨て紙おむつの第４の実施形態の展開状態が示される外観図である。
【図６】本発明の使い捨て紙おむつの第５の実施形態の装着状態が示される外観図である。
【図７】従来の使い捨て紙おむつの構成例が示されている外観図である。
【発明を実施するための形態】
【００１８】
図１と図２は本発明の使い捨て紙おむつの第１の実施形態の示される外観図であり、図１では平面に展開された状態が示され、図２では装着可能な装着状態が示されている。
【００１９】
図１に示されるように、この第１の実施形態の使い捨て紙おむつは、吸収材料５１が組み込まれていると共に、第１の方向Ｌに沿って延伸している吸収体５と、吸収体５の第１の方向Ｌにおける両端部に、それぞれ第１の方向Ｌと直交する第２の方向Ｍにおいて延伸するように重ねて固定された第１と第２の外装シート１、２とを備えている。
【００２０】
吸収体５内に組み込まれている吸収材料５１は第１の方向Ｌに沿って、吸収体５の第１、第２の外装シート１、２と重なっている部分まで延伸するように配置されている。
【００２１】
第１の外装シート１と第２の外装シート２とはそれぞれ同じサイズの長方形に形成されたものであり、それぞれ長手方向が第２の方向Ｍに沿うように配置されている。
【００２２】
第１の外装シート１の長手方向（延伸方向、即ち第２の方向Ｍ）における両端縁１１、１２に、それぞれ第１と第２の接着手段１１１、１２１とが第１の方向Ｌにおいて延伸するように配置されており、また、第２の外装シート２の長手方向における両端縁２１、２２にも、それぞれ第３と第４の接着手段２１１、２２１とが第１の方向Ｌにおいて延伸するように配置されている。
【００２３】
また、第１の外装シート１の第２の外装シート２から離れた端縁部及び、第２の外装シート２の第１の外装シート１から離れた端縁部に、それぞれ第１の弾性収縮糸４０が第２の方向Ｍに沿って断続的に貼り合わされている。
【００２４】
そして第１の外装シート１と第２の外装シート２とがそれぞれ吸収体５と重なっている部分に、それぞれ吸収体５に組み込まれた吸収材料５１により隔てられた第２と第３の弾性収縮糸（弾性収縮部材）４１、４２が第２の方向Ｍにおいて延伸するように断続的に貼り合わされている。
【００２５】
第１の接着手段１１１と第３の接着手段２１１は、平面に展開された展開状態では第１の方向Ｌにおいて延伸している同一の直線に配置されており、第２の接着手段１２１と第４の接着手段２２１も同じように、展開状態では第１の方向Ｌにおいて延伸している同一の直線（第１、第３の接着手段１１１、２１１とは異なる直線）に配置されており、吸収体５が第２の方向Ｍに延伸している中心横断線に沿って図中において上下対称的に折り曲げられると、第１、第３の接着手段１１１、２１１と、第２、第４の接着手段１２１、２２１とがそれぞれ互いに接着しあうことができるように構成されている。
【００２６】
この実施形態において、これら第１〜第４の接着手段１１１、１２１、２１１、２２１は、熱接着により接着されているが、例えば接着テープや面ファスナーを使用して構成することもできる。
【００２７】
更に、本発明では第１の外装シート１において、第１〜第４の接着手段１１１、１２１、２１１、２２１がそれぞれ配置された端縁１１、１２、２１、２２に、それぞれ各接着手段を横断する略半円形の第１の切り込み１３１、第２の切り込み１４１、第３の切り込み２３１、第４の切り込み２４１とがそれぞれ形成されており、第１の切り込み１３１と第３の切り込み２３１とは互いに対応する位置に形成され、第２の切り込み１４１と第４の切り込み２４１とも互いに対応する位置に形成されている。
【００２８】
また、第１の切り込み１３１、第２の切り込み１４１、第３の切り込み２３１、第４の切り込み２４１のサイズについては、この実施形態においては該等の切り込みのそれぞれ第１の方向Ｌにおける最大の幅が、第１または第２の外装シート１、２の第１の方向Ｌにおける幅の３３％であるが、２５％〜５０％の範囲内において自由に設定することもできる。
【００２９】
この構成により、吸収体５が第２の方向Ｍに沿って図中における上下対称的に折り曲げられ、第１、第３の接着手段１１１、２１１と第２、第４の接着手段１２１、２２１とがそれぞれ接着し合うと、図２に示される装着状態になる。即ち、第１の外装シート１と第２の外装シート２とは、互いに接着しあって装着者の胴回りを締めながら吸収体５を上から吊り下げて支持するためのものとなる。また、図示のように、この実施形態では第１の切り込み１３１と第３の切り込み２３１とが合わさって同一の通気孔３１が画成され、同様に第２の切り込み１４１と第４の切り込み２４１とが合わさって同一の通気孔３２が画成される。この通気孔３１と通気孔３２とは、装着者の胴回りを締める第１の外装シート１と第２の外装シート２とが接着しあっている箇所、即ち締めることによって蒸れやすくなりがちな箇所に形成されるので、通気性を向上させることができる。また、図示のように、通気孔３１は第１の接着手段１１１と第３の接着手段２１１とからなる接着部分を分断することにより、分断された第１、第３の接着手段１１１、２１１の各部分の長さと全長を従来より短くし、通気孔３２も同様な効果をもたらすので、接着部分を従来より剥がしやすくすることができる。
【００３０】
次いで、上記本考案の第１の実施形態の製造方法について説明する。
【００３１】
まずはそれぞれ第２の方向Ｍに沿って延伸する第１の外装シート１及び第２の外装シート２を、第１の方向Ｌに沿って並べて配置する。
【００３２】
それから第１の外装シート１及び第２の外装シート２に、第１の弾性収縮糸４０を第２の方向Ｍに沿って貼設する。
【００３３】
続いて、第１の外装シート１及び第２の外装シート２の互いに向き合う端縁部に、弾性収縮糸を第２の方向Ｍに沿って貼ってから、中央部分を切り取って第２の弾性収縮糸４１と第３の弾性収縮糸４２とする。これにより、第１の外装シート１と第２の外装シート２とがそれぞれ吸収体５内に組み込まれている吸収材料５１と重なる予定の部分に、弾性収縮糸が配置されないようになる。
【００３４】
続いて、第１の外装シート１及び第２の外装シート２に、略半円形の第１の切り込み１３１、第２の切り込み１４１、第３の切り込み２３１、第４の切り込み２４１とをそれぞれ上記の位置に形成する。
【００３５】
最後に吸収体５を第１の外装シート１及び第２の外装シート２に跨がるように接合してから、吸収体５を第２の方向Ｍに沿って図中における上下対称的に折り曲げて、第１、第３の接着手段１１１、２１１と第２、第４の接着手段１２１、２２１とをそれぞれ熱接着させると、図２に示される装着可能な装着状態に作成することができる。
【００３６】
次いで、図３〜図６を用いて本発明のほかの実施形態について説明するが、第１の実施形態と類似する構成に関する説明は省く。
【００３７】
図３は本発明の使い捨て紙おむつの第２の実施形態の展開状態が示される外観図である。
【００３８】
図示のように、この第２の実施形態においては、第１の外装シート１の一端縁１１にのみ第１の切り込み１３１が形成されている。このように、第２の実施形態は本発明の最も簡潔な実施形態であり、第１、第３の接着手段１１１、２１１と第２、第４の接着手段１２１、２２１とがそれぞれ接着し合って装着状態になると、この第１の切り込み１３１により通気孔が画成されるようになる。
【００３９】
図４は本発明の使い捨て紙おむつの第３の実施形態の展開状態が示される外観図である。
【００４０】
図示のように、この第３の実施形態においては、第１の外装シート１の両端縁１１、１２に第１の切り込み１３１と第２の切り込み１４１が形成され、第２の外装シート２には切り込みが形成されていない。このように、第３の実施形態も第１の実施形態の一部を省略した簡潔な実施形態であり、各接着手段がそれぞれ対応接着しあって装着状態になると、この第１の切り込み１３１と第２の切り込み１４１とによりそれぞれ独立した１つの通気孔が画成される。
【００４１】
図５は本発明の使い捨て紙おむつの第４の実施形態の展開状態が示される外観図である。
【００４２】
図示のように、この第４の実施形態は第１の外装シート１と第２の外装シート２とのそれぞれの両端縁１１、１２、２１、２２にそれぞれ１つの切り込み、即ち第１の切り込み１３１、第２の切り込み１４１、第３の切り込み２３１、第４の切り込み２４１を有し、一見第１の実施形態と同じ構成になっているが、この第4の実施形態においては、第１、第２の切り込み１３１、１４１と第３、第４の切り込み２３１、２４１とが形成された位置はずらされている。
【００４３】
即ち、第１の外装シート１は展開状態において第２の外装シート２に臨む第１の長手端縁１７１を有しており、第１、第２の切り込み１３１、１４１は、第１の外装シート１の第１の長手端縁１７１との最短距離が該切り込みの最大の幅を超えるように配置されている。
【００４４】
一方、第２の外装シート２は展開状態において第１の外装シート１から離れた第２の長手端縁２７１を有しており、第３、第４の切り込み２３１、２４１は、第２の外装シート２の第２の長手端縁２７１との最短距離が該切り込みの最大の幅を超えるように配置されている。
【００４５】
この構成により、吸収体５が第２の方向に沿って図中における上下対称的に折り曲げられて第１、第３の接着手段１１１、２１１と第２、第４の接着手段１２１、２２１とがそれぞれ接着し合って装着状態になると、第１の切り込み１３１と第２の外装シート２の第３の接着手段２１１とにより１つの通気孔が画成され、そして第３の切り込み２３１と第１の外装シート１の第１の接着手段１１１とによりもう１つの独立した通気孔が画成される。また、他方にも第２の切り込み１４１と第２の外装シート２の第４の接着手段２２１とにより１つの通気孔が画成され、第４の切り込み２４１と第１の外装シート１の第２の接着手段１２１とにより更に１つの独立した通気孔が画成される。合計４つの通気孔が画成されるようになる。
【００４６】
図６は本発明の使い捨て紙おむつの第５の実施形態の装着状態が示される外観図である。
【００４７】
図示のように、この第５の実施形態は第１の実施形態と類似する構成になっているが、この第５の実施形態においては、第１の外装シート１、第２の外装シート２の吸収体５と重なっている部分に、第４の弾性収縮糸（弾性収縮部材）４３が吸収体５内に組み込まれている吸収材料５１を横断するように断続的に貼り合わされている。
【産業上の利用可能性】
【００４８】
上記構成により、本発明の使い捨て紙おむつは、前記第１の接着手段と前記第３の接着手段とが接着し合うと、前記第１の切り込みにより接着部分の隣に通気孔が形成されるので、従来のパンツ形使い捨て紙おむつより優れた通気性を持つことができる。また、通気孔を構成する前記第１の切り込みは前記第１の接着手段を横断するように形成されるので、前記第１の接着手段を分断できると共に、その全長を短くすることができるので、従来の使い捨て紙おむつが有する接着手段よりはがしやすくする。
【００４９】
また、上記のように、本発明の使い捨て紙おむつにおける通気孔を構成する切り込みは、接着手段が配置される両端縁にそれぞれ形成することができ、さらに同一の両端縁に複数の切り込みを形成することも可能である。
【符号の説明】
【００５０】
１…第１の外装シート、１１、１２…端縁、１１１…第１の接着手段、１２１…第２の接着手段、１３１…第１の切り込み、１４１…第２の切り込み、１７１…第１の長手端縁、２…第２の外装シート、２１、２２…端縁、２１１…第３の接着手段、２２１…第４の接着手段、２３１…第３の切り込み、２４１…第４の切り込み、２７１…第２の長手端縁、３１、３２…通気孔、４０…第１の弾性収縮糸、４１…第２の弾性収縮糸、４２…第３の弾性収縮糸、４３…第４の弾性収縮糸、５…吸収体、５１…吸収材料、Ｌ…第１の方向、Ｍ…第２の方向。
【図１】
2012232102.tif 000003
【図２】
2012232102.tif 000004
【図３】
2012232102.tif 000005
【図４】
2012232102.tif 000006
【図５】
2012232102.tif 000007
【図６】
2012232102.tif 000008
【図７】
2012232102.tif 000009